(57)【特許請求の範囲】
【請求項１】
薬を服用する時に都度蓋を開けて小箱の中の薬を取り出すことができる携帯用薬ケースであって、
隔壁を介して連結された複数の小箱から成る連結体と、
前記複数の小箱の内の特定の小箱を示すための表示体と、を有し、
前記複数の小箱のそれぞれは、表面に設けられた凹部を有しかつ各小箱の開口部を個別に開閉する前記蓋と、前記蓋を回動可能に支持するヒンジ部と、を有し、
前記表示体は、前記蓋の表面の前記凹部に少なくとも一部を嵌合させることによって前記凹部に着脱可能に取り付けられるものであり、
前記蓋の表面の前記凹部は、前記蓋の表面に垂直な貫通孔であり、
前記表示体は、前記貫通孔に嵌合する長尺な脚部、及び前記脚部の横断面方向の大きさが前記貫通孔よりも大きい頭部を有し、
前記脚部は、前記貫通孔のエッジに当接する係止部を有し、
前記係止部は、前記貫通孔のエッジに当接して前記貫通孔に嵌合するものであり、
前記蓋は、前記ヒンジ部に対向する端面に前記蓋の開方向に突出するアーチ状のつまみを有し、
前記小箱は、前記ヒンジ部の側の側壁と、前記ヒンジ部と反対側の側壁と、前記開口部に対抗する底部と、各側壁と前記底部との間に湾曲部を有する携帯用薬ケース。
【請求項２】
前記連結体は、直方体の形状の４つの小箱から成り、各小箱は、互いに同じ方向の面に設けられた長方形の開口部を有し、各ヒンジ部が４つ１列に並ぶように連結される請求項１に記載の携帯用薬ケース。
【請求項３】
前記連結体は、直方体の形状の４つの小箱から成り、各小箱は、互いに同じ方向の面に設けられた長方形の開口部を有し、各ヒンジ部が中央に２つずつ２列に並ぶように連結される請求項１に記載の携帯用薬ケース。
【請求項４】
さらに、前記表示体を前記連結体に繋ぐための紐を有する請求項１〜３のいずれか１項に記載の携帯用薬ケース。
【請求項５】
前記蓋の表面の前記凹部は、前記表示体が前記凹部に取り付けられた時に、前記表示体の外周が前記蓋の上方から前記ヒンジ部の上方にはみ出さないような位置に設けられる請求項１〜４のいずれか１項に記載の携帯用薬ケース。
【請求項６】
前記係止部は、前記脚部の横断面方向に突出しており、
前記係止部の大きさは、前記表示体を前記貫通孔から引き抜くことができる大きさであり、
前記係止部は、前記表示体の前記頭部が前記蓋の表面に当接した状態から前記表示体を引き抜く時に、前記貫通孔のエッジに当接することによって引き抜く途中の引っ掛かり位置を構成する請求項１〜５のいずれか１項に記載の携帯用薬ケース。
【請求項７】
前記脚部は、前記貫通孔の断面形状と同じ、円形、長円形、楕円形、卵形、ひょうたん形、多角形、及びそれらの組み合わせからなる群から選択される１種の横断面形状を有する請求項１〜６のいずれか１項に記載の携帯用薬ケース。
【請求項８】
前記携帯用薬ケースは、複数の前記連結体を有し、各連結体は、隣接する２つの連結体を互いに着脱可能に結合する結合部を有する請求項１〜７のいずれか１項に記載の携帯用薬ケース。
【発明の詳細な説明】
【技術分野】
【０００１】
本発明は、薬を服用する時に都度蓋を開けて小箱の中の薬を取り出すことができる携帯用薬ケースに関する。
【背景技術】
【０００２】
医師から投与された薬剤は、指定された時間や日毎に指定された量を服用する必要がある。通常の市販の薬剤も同様である。しかしながら、服用すべき薬剤の回数やその種類が多い場合には、服用し忘れたり、量を間違えたりすることがあり、このことは、患者の身体にとって好ましくないことは明らかである。これを防止するために、従来様々な薬ケースが提案されている。【０００３】
特許文献１には、処方された薬を朝、昼、夜の３つの薬収容部に分けて収容し、薬の服用時に外蓋を開いた後２つの内蓋を横にスライドさせ、該当する服用タイミングの薬収容部の中から所定量の薬を取り出した後外蓋を閉め、内蓋の突起部が入っていない外蓋の貫通孔の位置から直前に薬を取り出した薬収容部を知ることで薬の服用状態を管理することが記載されている。また、特許文献２には、例えば、３日間の出張又は旅行の場合に４つの収納小室を有する薬ケースを３つ接続し、各収納小室に１回の服用分の薬を収納し、空になった収納小室の位置で薬の服用状態を管理することが記載されている。
【先行技術文献】
【特許文献】
【０００４】
【特許文献１】特開２００７−００７３６５公報
【特許文献２】特許第２５２９１６２号公報
【発明の概要】
【発明が解決しようとする課題】
【０００５】
特許文献１の薬箱では、昼の薬を飲むときは、昼の薬収容部の位置の内蓋を朝の薬収容部の位置にスライドさせて昼の薬収容部から薬を取り出し、夜の薬を飲むときは、夜の薬収容部の位置の内蓋を昼の薬収容部の位置にスライドさせて夜の薬収容部から薬を取り出す。即ち、昼と夜の薬を飲むときは、スライドさせる内蓋は、それぞれ１つである。これに対して、朝の薬を飲むときは、昼の薬収容部の位置の内蓋を夜の薬収容部の位置にスライドさせ、次に、朝の薬収容部の位置の内蓋を昼の薬収容部の位置にスライドさせて朝の薬収容部から薬を取り出す。即ち、朝の薬を飲むときにスライドさせる内蓋は、２つなので、薬収容部から薬を取り出す手間が２倍掛かる。また、朝、昼、夜だけでなく、寝る前の薬収容部を増設した場合には、朝の薬を飲むときにスライドさせる内蓋は、３つになるので、薬収容部から薬を取り出す手間が３倍掛かることになる。このように、特許文献１の薬箱は、朝の薬を取り出すときに余計な手間が掛かるという問題があった。【０００６】
また、特許文献１の薬箱は、内蓋及び外蓋の二重の蓋を有するので小箱が大きくなり、手軽に携帯できないという問題があった。さらに、特許文献１の薬箱は、例えば、薬の残数確認などの理由で内蓋を横にずらした後に内蓋を元の位置に戻し忘れると、直前に薬を取り出した薬収容部を正しく示すことができなくなるので、薬を飲み忘れる恐れがあるという問題があった。【０００７】
また、特許文献２の薬ケースは、出張又は旅行の時に持ち運ぶ荷物をできる限りコンパクトにするために、４つの収納小室を有する薬ケースを３つ接続せずに１つ使用し、各収納小室に１回の服用分ではなく出張又は旅行の日数分の薬をまとめて収納することができる。しかしながら、その場合には、各収納小室に当日服用分だけでなく翌日以降服用分の薬も収納されていて、当日服用分の薬を取り出しても各収納小室が空になるとは限らず、前回薬を取り出した収納小室がどれか分からなくなるので、薬を飲み忘れる恐れがあるという問題があった。【０００８】
本発明は、従来のこのような問題点に鑑みてなされたものであり、本発明の目的は、手間を掛けずに薬を取り出すこと及び手軽に携帯することができ、かつ薬を飲み忘れないように手軽に管理することができる携帯用薬ケースを提供することにある。
また、本発明の他の目的は、上記目的に加え、従来と同等以上に安全で使いやすく、連結体を低コストで高品質に製造することができる携帯用薬ケースを提供することにある。
【課題を解決するための手段】
【０００９】
本発明者は、上記目的を達成するために、鋭意研究を重ねた結果、まず、４回（１日）分の小箱を１列に連結した連結体を製作し、各小箱の各蓋の表面に貫通孔を設け、その貫通孔に表示体を着脱可能に取り付けることによって、手間を掛けずに薬を取り出すこと及び手軽に携帯することができ、かつ薬を飲み忘れないように手軽に管理することができることを見出した。
また、本発明者は、表示体と連結体とを紐で連結すれば、表示体の紛失と誤飲を予防でき、及び表示体の外周が蓋の上方からヒンジ部の上方にはみ出さないような位置に貫通孔を設ければ、表示体が取り付けられていても蓋の直角の開口角度を確保できるので、安全で使いやすくなることを見出し、本発明に至ったものである。【００１０】
即ち、本発明は、薬を服用する時に都度蓋を開けて小箱の中の薬を取り出すことができる携帯用薬ケースであって、隔壁を介して連結された複数の小箱から成る連結体と、複数の小箱の内の特定の小箱を示すための表示体と、を有し、複数の小箱のそれぞれは、表面に設けられた凹部又は凸部を有しかつ各小箱の開口部を個別に開閉する蓋と、蓋を回動可能に支持するヒンジ部と、を有し、表示体は、蓋の表面の凹部に少なくとも一部を嵌合させることによって凹部に着脱可能に取り付けられるものであり、蓋の表面の凹部は、蓋の表面に垂直な貫通孔であり、表示体は、貫通孔に嵌合する長尺な脚部、及び脚部の横断面方向の大きさが貫通孔よりも大きい頭部を有し、脚部は、貫通孔のエッジに当接する係止部を有し、係止部は、貫通孔のエッジに当接して貫通孔に嵌合するものであり、蓋は、ヒンジ部に対向する端面に蓋の開方向に突出するアーチ状のつまみを有し、小箱は、ヒンジ部の側の側壁と、ヒンジ部と反対側の側壁と、開口部に対抗する底部と、各側壁と底部との間に湾曲部を有する携帯用薬ケースを提供するものである。
【００１１】
ここで、上記においては、連結体は、直方体の形状の４つの小箱から成り、各小箱は、互いに同じ方向の面に設けられた長方形の開口部を有し、各ヒンジ部が４つ１列に並ぶように連結されるのが好ましい。
また、連結体は、直方体の形状の４つの小箱から成り、各小箱は、互いに同じ方向の面に設けられた長方形の開口部を有し、各ヒンジ部が中央に２つずつ２列に並ぶように連結されるのが好ましい。
さらに、表示体を連結体に繋ぐための紐を有するのが好ましい。
また、蓋の表面の凹部は、表示体が凹部に取り付けられた時に、表示体の外周が蓋の上方からヒンジ部の上方にはみ出さないような位置に設けられるのが好ましい。
また、係止部は、脚部の横断面方向に突出しており、係止部の大きさは、表示体を貫通孔から引き抜くことができる大きさであり、係止部は、表示体の頭部が蓋の表面に当接した状態から表示体を引き抜く時に、貫通孔のエッジに当接するのが好ましい。
また、脚部は、貫通孔の断面形状と同じ、円形、長円形、楕円形、卵形、ひょうたん形、多角形、及びそれらの組み合わせからなる群から選択される１種の横断面形状を有するのが好ましい。
また、携帯用薬ケースは、複数の連結体を有し、各連結体は、隣接する２つの連結体を互いに着脱可能に結合する結合部を有するのが好ましい。
【発明の効果】
【００１２】
本発明によれば、手間を掛けずに薬を取り出すこと及び手軽に携帯することができ、かつ薬を飲み忘れないように手軽に管理することができる。
また、本発明によれば、上記効果に加え、従来と同等以上に安全で使いやすく、連結体を低コストで高品質に製造することができる。
【図面の簡単な説明】
【００１３】
【図１】本発明の第１実施形態の携帯用薬ケースを示す斜視図である。
【図２】図１の携帯用薬ケースの平面図である。
【図３】図１の携帯用薬ケースの正面図である。
【図４】図１の携帯用薬ケースの線ＡＡによる拡大横断面図である。
【図５】図１の携帯用薬ケースを構成する表示体の一例を示す正面図である。
【図６】図１の携帯用薬ケースを構成する表示体の第１変形例を示す正面図である。
【図７】図１の携帯用薬ケースを構成する表示体の第２変形例を示す正面図である。
【図８】本発明の第２実施形態の携帯用薬ケースを示す斜視図である。
【図９】本発明の第３実施形態の携帯用薬ケースの一例及びその第１〜３変形例を模式的に示す平面図である。
【図１０】図９（Ａ）の携帯用薬ケースを構成する３つの連結体の内の１つを取り外したものの平面図である。
【図１１】図１０の携帯用薬ケースの線ＢＢによる拡大横断面図である。
【発明を実施するための形態】
【００１４】
以下に、本発明の携帯用薬ケースを添付の図面に示す好適実施形態に基づいて詳細に説明する。
まず、本発明の第１実施形態の携帯用薬ケースについて説明する。図１は、本発明の第１実施形態の携帯用薬ケースを示す斜視図であり、図２は、図１の携帯用薬ケースの平面図であり、図３は、図１の携帯用薬ケースの正面図であり、図４は、図１の携帯用薬ケースの線ＡＡによる拡大横断面図である。
【００１５】
本発明の携帯用薬ケース１０は、連結体２０と表示体３０とを有し、連結体２０は、隔壁２２ａを介して連結された４つの小箱２２から成る。即ち、図１に示す携帯用薬ケース１０の連結体２０は、紙面の左下から右上に向かう方向（図１のＹ方向）に連結された４つの小箱２２から構成され、隣接する２つの小箱２２は、紙面の左上から右下に向かう方向（図１のＸ方向）に伸びる隔壁２２ａを介して連結される。ここで、連結するとは、着脱できないように一体的に固定することを意味する。また、本発明の携帯用薬ケース１０の小箱２２の外形形状と連結方向、開口部２２ｂの形状と方向、及び隔壁２２ａの形状は、特に制限的ではなく、例えば、小箱２２の外形形状は、多角柱又は円柱の形状でも良く、小箱２２の連結方向は、直線的でも非直線的でも良く、開口部２２ｂの形状は、多角形又は円形でも良く、開口部２２ｂの方向は、一方向でも多方向でも良く、隔壁２２ａの形状は、平面でも曲面でも良い。
【００１６】
４つの小箱２２のそれぞれは、蓋２４とヒンジ部２６とを有し、蓋２４は、表面に設けられた凹部又は凸部２４ａ（図示例では凹部）を有しかつ各小箱２２の開口部２２ｂを個別に開閉し、ヒンジ部２６は、蓋２４を回動可能に支持する。即ち、各小箱２２の開口部２２ｂは、回動式の蓋２４によって個別に開閉されるので、予め各小箱２２の中に、例えば、朝服用分と昼服用分と夕方服用分と寝る前服用分の薬をそれぞれ収納しておけば、薬を服用する時に都度、その時の服用分の薬が収納された小箱２２の蓋２４を開けてその小箱２２の中から薬を取り出すことができる。また、蓋２４は、スライド式ではなく回動式であり、スライド式のように開口部２２ｂが小さくなることがないので、朝、昼、夕、寝る前の各服用分の薬を小箱２２の中に収納したり小箱２２の中から取り出したりするのが容易である。さらに、蓋２４の表面には、凹部又は凸部２４ａが設けられる。なお、本発明において、凹部とは、底を有する窪み及び底を有しない貫通孔の両方を意味する。
【００１７】
表示体３０は、４つの小箱２２の内の特定の小箱を示すためのものであり、蓋２４の表面の凹部又は凸部２４ａに少なくとも一部を嵌合させることによって凹部又は凸部２４ａに着脱可能に取り付けられる。即ち、図１に示す携帯用薬ケース１０の表示体３０は、４つの小箱２２の内、例えば、次回服用分の薬が収納された小箱を示すために、凹部又は凸部２４ａに着脱可能に取り付けられる。その時、蓋２４の表面に凹部がある場合には、表示体３０の一部又は全体がその凹部に嵌合し、蓋２４の表面に凸部がある場合には、表示体３０の一部又は全体がその凸部に嵌合する。また、各小箱２２は、さらに、ヒンジ部２６と同じ側の側壁２２ｃと、ヒンジ部２６と反対側の側壁２２ｄと、各小箱２２の開口部２２ｂに対向する底部と側壁２２ｄとの間の湾曲部２２ｅと、を有する。湾曲部２２ｅは、各小箱２２の中に収納した薬を取り出しやすくするために、各小箱２２の長方形の底部の他の３つのエッジよりも大きい曲率半径を有する。
このような構成とすることで、内蓋のスライドや突起部と貫通孔との位置合わせが不要になり、次回服用する薬が明示されるので、本発明の携帯用薬ケース１０は、手間を掛けずに薬を取り出すこと及び手軽に携帯することができ、かつ薬を飲み忘れないように手軽に管理することができる。
【００１８】
連結体２０は、直方体の形状の４つの小箱２２から成り、各小箱２２は、互いに同じ方向の面に設けられた長方形の開口部２２ｂを有し、各ヒンジ部２６が４つ１列に並ぶように連結されても良い。ここで、平面形状の隔壁２２ａに対応する開口部２２ｂの辺は、長方形の長辺でも短辺でも良い。即ち、図１に示すように、連結体２０を構成する４つの小箱２２の形状は、直方体であり、隣接する２つの小箱２２の間の隔壁２２ａは、平面形状であり、各小箱２２は、長方形の開口部２２ｂが互いに同じ方向の面、例えば、図１の紙面の上方向（図１のＺ方向）の面に並びかつ４つのヒンジ部２６が紙面の左下から右上に向かう方向（図１のＹ方向）に１列に並ぶように連結される。ヒンジ部２６は、基部２６ａを有し、基部２６ａは、紙面の左下から右上に向かう方向（図１のＹ方向）に１列に並ぶ４つの蓋２４を一体化するものであり、その蓋２４に対応する４つの小箱２２のヒンジ部２６と同じ側の側壁２２ｃに固定される。
このような構成とすることで、携帯時の収納スペースの幅が狭くて長尺な場合に便利なので、本発明の携帯用薬ケース１０は、手軽に携帯することができる。
【００１９】
連結体２０の材料は、ポリエチレン樹脂、ポリプロピレン樹脂、ポリスチレン樹脂、ＡＢＳ樹脂などから成る群から選択される１種であっても良いが、耐熱性と成形しやすさの点でポリプロピレン樹脂であるのが好ましい。連結体２０の色は、特に制限的ではなく、例えば、黄色、青色、赤色などに着色されていても良いし、表面光沢は、あってもなくても良い。
このような構成とすることで、射出成形機を用いて容易に連結体２０を製造できるので、本発明の携帯用薬ケース１０は、連結体を低コストで高品質に製造することができる。
【００２０】
表示体３０は、蓋２４の表面の底を有する窪みに嵌合する突起部を有しても良く、その場合には、突起部は、底を有する窪みの断面形状とそれぞれ同じ、円形、長円形、楕円形、卵形、ひょうたん形、多角形、及びそれらの組み合わせからなる群から選択される１種の横断面形状を有する。又は、表示体３０は、蓋２４の表面の凸部に嵌合する窪み部又は貫通孔を有しても良く、その場合には、窪み部又は貫通孔は、凸部の断面形状とそれぞれ同じ、円形、長円形、楕円形、卵形、ひょうたん形、多角形、及びそれらの組み合わせからなる群から選択される１種の横断面形状を有する。卵形とは、半径が異なりかつ一方の円周が他方の円周と交差する２つの円と、その２つの円の中心を結ぶ直線に対して同じ側の共通接線とで囲まれる図形である。ひょうたん形とは、半径が異なりかつ一方の円周が他方の円周と交差する２つの円と、その２つの円の中心を結ぶ直線に対して同じ側の共通外接円弧で囲まれる図形である。
【００２１】
表示体３０の材料は、ポリエチレン樹脂、ポリプロピレン樹脂、ポリスチレン樹脂、ＡＢＳ樹脂などから成る群から選択される１種であっても良いが、耐熱性と成形しやすさの点及び嵌合の良さから柔軟性のある点でポリプロピレン樹脂であるのが好ましい。表示体３０の色は、特に制限的ではなく、例えば、黄色、青色、赤色などに着色されていても良いし、表面光沢は、あってもなくても良い。
このような構成とすることで、次回服用する薬が明示されるので、本発明の携帯用薬ケース１０は、薬を飲み忘れないように手軽に管理することができる。
【００２２】
次に、蓋の構成について説明する。
蓋２４は、さらに、不意に開いて各小箱２２の中に収納した薬が飛び出さないようにするための係止爪２４ｂと、蓋２４の開閉を容易にするためのつまみ２４ｃと、を有する。係止爪２４ｂは、各蓋２４が閉じた時に各小箱２２の側壁２２ｄに設けられた係止爪２２ｆに引っ掛かることによって、各蓋２４が閉じた状態を保持する。また、蓋２４を開く時には、ヒンジ部２６を回動軸として蓋２４のつまみ２４ｃを小箱２２の開口部２２ｂから上方（図１のＺ方向）に持ち上げ、蓋２４を閉じる時には、ヒンジ部２６を回動軸として蓋２４のつまみ２４ｃを小箱２２の開口部２２ｂまで下方（図１のＺ方向の反対方向）に押し下げる。
【００２３】
蓋２４の表面の凹部又は凸部２４ａは、蓋２４のどの位置に設けられても良いが、表示体３０が凹部又は凸部２４ａに取り付けられた時に、表示体３０の外周が蓋２４の上方からヒンジ部２６の上方にはみ出さないような位置に設けられるのが好ましい。ここで、上方とは、図１の紙面の上方向（図１のＺ方向）を意味する。即ち、表示体３０の外周とヒンジ部２６との間に隙間Ｌがある場合には、蓋２４を直角に開けることができるが、表示体３０の外周が蓋２４の上方からヒンジ部２６の上方にはみ出す場合には、蓋２４を開けた時に表示体３０の外周がヒンジ部２６に当たって、蓋２４を直角に開けることができないので、小箱２２の中から薬を取り出しにくくなる。従って、表示体３０の外周を小さくする、又は上記はみ出しがない位置に蓋２４の表面の凹部又は凸部２４ａを移動する必要がある。また、表示体３０が凹部又は凸部２４ａに取り付けられた時の方向によって表示体３０の外周がはみ出したりはみ出さなかったりする場合には、表示体３０の外周がはみ出さない方向に表示体３０の取り付け方向を後述する方法で限定しても良い。
このような構成とすることで、表示体が取り付けられていても蓋の直角の開口角度を確保できるので、本発明の携帯用薬ケース１０は、使いやすい。
【００２４】
蓋２４は、透明及び不透明のどちらであっても良いが、透明であるのが好ましい。
このような構成とすることで、蓋２４の外から小箱２２内の薬が見えるので、本発明の携帯用薬ケース１０は、薬を飲み忘れないように手軽に管理することができる。
【００２５】
蓋２４の材料は、ポリエチレン樹脂、ポリプロピレン樹脂、ポリスチレン樹脂、ＡＢＳ樹脂などから成る群から選択される１種であっても良いが、蓋２４に一体化したＵ字状の薄いヒンジ部２６の柔軟性と耐久性の点でポリプロピレン樹脂であるのが好ましい。蓋２４の色は、特に制限的ではなく、例えば、黄色、青色、赤色などに着色されていても良いし、表面光沢は、あってもなくても良い。また、朝服用分と昼服用分と夕方服用分の蓋を見分けやすくするために、例えば、黄色と青色と赤色のような異なる色に着色されていても良い。蓋２４のつまみ２４ｃの形状は、蓋２４を容易に開閉することができ、かつ成形しやすさに影響しなければ、特に制限的ではなく、図１〜３のようなアーチ状ではなく、例えば、蓋２４の回動軸方向（図１のＹ方向）から見てＬ字状であっても良い。蓋２４に印刷する文字の内容、フォント、大きさ、太さ及び色は、印刷しやすさに影響しなければ、特に制限的ではない。また、文字を蓋２４に印刷する代わりに、文字を印刷したシールを蓋２４の表面又は裏面に貼り付けても良い。
【００２６】
次に、図１の携帯用薬ケースを構成する表示体について説明する。図５は、図１の携帯用薬ケースを構成する表示体の一例を示す正面図である。
【００２７】
蓋２４の表面の凹部は、蓋２４の表面に垂直な貫通孔２４ｄであっても良く、その場合には、表示体３０は、長尺な脚部３２及び頭部３４を有し、長尺な脚部３２は、貫通孔２４ｄに嵌合し、頭部３４は、脚部３２の横断面方向の大きさが貫通孔２４ｄよりも大きい。ここで、脚部３２の横断面方向とは、図５の紙面の左右方向を意味する。即ち、蓋２４の表面の凹部がこの表面に垂直な貫通孔２４ｄである場合には、表示体３０の嵌合方向に長尺な脚部３２は、貫通孔２４ｄに挿入され、頭部３４は、長尺な脚部３２の横断面方向に切断した時の頭部３４の大きさが貫通孔２４ｄの大きさよりも大きいので、貫通孔２４ｄに挿入されずに蓋２４の表面から上方向（図１のＺ方向）に突出する。貫通孔２４ｄの大きさは、特に制限的ではなく、どのような大きさでも良いが、各小箱２２の中に収納した薬が出ないような大きさである必要がある。
【００２８】
頭部３４の形状は、特に制限的ではなく、多角柱、多角柱の組み合わせ、円柱、円柱の組み合わせ、及びそれらの複合的組み合わせの内のどの形状であっても良い。頭部３４の大きさは、特に制限的ではなく、どのような大きさでも良いが、蓋２４の直角の開口角度を確保できるような大きさである必要がある。
このような構成とすることで、次回服用する薬が明示されるので、本発明の携帯用薬ケース１０は、薬を飲み忘れないように手軽に管理することができる。
【００２９】
脚部３２は、嵌合方向の全長にわたって同じ形状及び寸法を有しても良いが、表示体３０の頭部３４が蓋２４の表面に当接した状態から表示体３０を引き抜く時に、貫通孔２４ｄのエッジに当接する係止部３２ａを有するのが好ましい。即ち、脚部３２の嵌合面には、長尺な脚部３２の横断面方向に突出した係止部３２ａが設けられ、表示体３０の頭部３４を蓋２４の表面に押し当てた位置から表示体３０を引き抜くと、係止部３２ａが貫通孔２４ｄのエッジに当接することによって引き抜く途中の引っ掛り位置を構成する。従って、係止部３２ａの大きさは、表示体３０を引き抜くことができる大きさにする必要がある。なお、係止部３２ａは、蓋２４の厚さｍに対して、頭部３４からの距離ｎがわずかに長くなる位置に配置するのが好ましい。
このような構成とすることで、係止部が貫通孔のエッジに引っ掛かり、蓋を開けた時の衝撃で表示体が外れることがないので、本発明の携帯用薬ケース１０は、使いやすい。
【００３０】
脚部３２は、貫通孔２４ｄに嵌合することができれば、どのような横断面形状を有しても良いが、貫通孔２４ｄの断面形状と同じ、円形、長円形、楕円形、卵形、ひょうたん形、多角形、及びそれらの組み合わせからなる群から選択される１種の横断面形状を有するのが好ましい。即ち、貫通孔２４ｄの断面形状は、図示例では円形であるが、本発明は特に制限的ではなく、円形、長円形、楕円形、卵形、ひょうたん形、多角形、及びそれらの組み合わせからなる群から選択される１種の横断面形状を有し、脚部３２の断面形状は、貫通孔２４ｄの断面形状と同じ横断面形状を有するのが好ましい。例えば、脚部３２を円形の横断面形状にした場合には、表示体３０の取り付け方向が限定されないので、表示体３０を貫通孔２４ｄに容易に取り付けられるようにすることができる。また、例えば、脚部３２を円形以外の横断面形状にした場合には、表示体３０の取り付け方向が限定されることによって、表示体３０の外周が蓋２４の上方からヒンジ部２６の上方にはみ出さないように規制することができ、それによって、蓋２４の直角の開口角度を確保できるので、表示体３０が取り付けられていても収納した薬を取り出しやすくすることができる。
【００３１】
さらに、例えば、係止部３２ａを有する脚部３２において、係止部３２ａを円形以外の横断面形状に、係止部３２ａと頭部３４との間の脚部３２を係止部３２ａの横断面形状よりも一回り小さい横断面形状にした場合には、貫通孔２４ｄに係止部３２ａを貫通させた後に係止部３２ａを回転することによって抜け止めを構成できるので、蓋２４を開けた時の衝撃で表示体３０が外れないようにすることができる。
このような構成とすることで、上型と下型を用いて蓋を容易に成形できるので、本発明の携帯用薬ケース１０は、蓋を低コストで高品質に製造することができる。
【００３２】
頭部３４は、指で把持することができれば、どのような形状を有しても良いが、脚部３２が貫通孔２４ｄに嵌合する方向に垂直な頭部３４の２つの断面の内、脚部３２から近い方の頭部３４の断面は、脚部３２から遠い方の頭部３４の断面よりも小さい大きさを有するのが好ましい。ここで、脚部３２が貫通孔２４ｄに嵌合する方向とは、図５の紙面の上下方向を意味する。即ち、頭部３４は、直方体の形状であり、脚部３２から遠い頭部上面３４ａと側面との間の４つのエッジは、円筒状に加工されていないのに対して、脚部３２から近い頭部下面３４ｂと側面との間の４つのエッジの内、図１の紙面の左下と右上の２つのエッジは、円筒状に加工されている。従って、表示体３０の頭部下面３４ｂの大きさは、頭部上面３４ａの大きさよりも小さい。
このような構成とすることで、表示体を確実に取り外すことができるので、本発明の携帯用薬ケース１０は、使いやすい。
【００３３】
次に、薬ケースの中に収納した薬の服用状態を管理する方法について説明する。
予め各小箱２２の中に、例えば、朝服用分と昼服用分と夕方服用分と寝る前服用分の薬をそれぞれ収納しておき、朝服用分の薬を服用する時に、朝服用分の薬が収納された小箱２２の蓋２４を開けてその小箱２２の中から薬を取り出した後その蓋２４を閉じ、昼服用分の薬が収納された小箱２２の蓋２４の凹部又は凸部２４ａに表示体３０を取り付ける。次に、昼服用分の薬を服用する時に、昼服用分の薬が収納された小箱２２の蓋２４を開けてその小箱２２の中から薬を取り出した後その蓋２４を閉じ、その蓋２４の凹部又は凸部２４ａに取り付けられた表示体３０を取り外し、その表示体３０を夕方服用分の薬が収納された小箱２２の蓋２４の凹部又は凸部２４ａに取り付ける。次に、夕方服用分の薬を服用する時に、その時の服用分の薬を取り出した後、表示体３０を寝る前服用分の薬が収納された小箱２２の蓋２４の凹部又は凸部２４ａに移動する。この薬の取り出しと表示体３０の移動を、朝、昼、夕、寝る前の各服用分の薬を服用する度に繰り返す。
【００３４】
携帯用薬ケース１０の連結体２０を構成する小箱２２の連結数は、図示例では４つであるが、本発明は特に制限的ではなく、各服用タイミングでの薬の服用状態を管理しやすいという点で１日の服用回数と同じであることが好ましい。例えば、小箱２２の連結数は、服用回数が１日４回の場合には図示例のように４つであることが好ましく、１日３回の場合には３つであることが好ましく、１日朝夕２回の場合には２つであることが好ましい。しかしながら、例えば、服用回数が１日１回の場合には、小箱２２の連結数は、１つではなく、各曜日の薬の服用状態を管理しやすいという点で１週間の日数と同じ７つであっても良い。また、携帯用薬ケース１０の大きさは、出張又は旅行用バッグに入れることができれば特に制限的ではなく、Ａ４サイズ以下で厚さ５ｃｍ以下のもの、例えば、縦７ｃｍ×横３０ｃｍ×高さ４ｃｍ程度のものを含む。
【００３５】
本発明の第１実施形態の携帯用薬ケースは、基本的に以上のように構成される。このような構成とすることで、本発明の携帯用薬ケース１０は、手間を掛けずに薬を取り出すこと及び手軽に携帯することができ、かつ薬を飲み忘れないように手軽に管理することができ、また、従来と同等以上に安全で使いやすく、連結体を低コストで高品質に製造することができる。
【００３６】
次に、図１の携帯用薬ケースを構成する表示体の第１変形例について説明する。図６は、図１の携帯用薬ケースを構成する表示体の第１変形例を示す正面図である。
【００３７】
蓋２４の表面の凹部は、蓋２４の表面に垂直な貫通孔２４ｄであっても良く、その場合には、表示体４０は、長尺な脚部３２及び頭部４２を有し、長尺な脚部３２は、貫通孔２４ｄに嵌合し、頭部４２は、脚部３２の横断面方向の大きさが貫通孔２４ｄよりも大きい。ここで、脚部３２の横断面方向とは、図６の紙面の左右方向を意味する。表示体４０は、表示体３０の頭部３４に対して、頭部４２を有する点以外は同一の構成を有するものであるので、同一の構成要素の説明を省略する。
【００３８】
頭部４２は、指で把持することができれば、どのような形状を有しても良いが、脚部３２が貫通孔２４ｄに嵌合する方向に垂直な頭部４２の２つの断面の内、脚部３２から近い方の頭部４２の断面は、脚部３２から遠い方の頭部４２の断面よりも小さい大きさを有するのが好ましい。ここで、脚部３２が貫通孔２４ｄに嵌合する方向とは、図６の紙面の上下方向を意味する。即ち、頭部４２は、脚部３２から遠い上部４２ａと脚部３２から近い中間部４２ｂと脚部３２からより近い下部４２ｃの３つの円柱から成る複合形状であり、上部４２ａと下部４２ｃの直径に対して、中間部４２ｂの直径は、小さくなっている。従って、表示体４０の中間部４２ｂの横断面の大きさは、上部４２ａの横断面の大きさよりも小さい。なお、上部４２ａの上側エッジ及び下部４２ｃの上側エッジは、滑らかな曲面に加工されても良い。
【００３９】
表示体の第１変形例は、基本的に以上のように構成される。このような構成とすることで、表示体を確実に取り外すことができるので、本発明の携帯用薬ケース１０は、使いやすい。
【００４０】
次に、図１の携帯用薬ケースを構成する表示体の第２変形例について説明する。図７は、図１の携帯用薬ケースを構成する表示体の第２変形例を示す正面図である。
【００４１】
蓋２４の表面の凹部は、蓋２４の表面に垂直な貫通孔２４ｄであっても良く、その場合には、表示体５０は、長尺な脚部３２及び頭部５２を有し、長尺な脚部３２は、貫通孔２４ｄに嵌合し、頭部５２は、脚部３２の横断面方向の大きさが貫通孔２４ｄよりも大きい。ここで、脚部３２の横断面方向とは、図７の紙面の左右方向を意味する。表示体５０は、表示体３０の頭部３４に対して、頭部５２を有する点以外は同一の構成を有するものであるので、同一の構成要素の説明を省略する。
【００４２】
頭部５２は、指で把持することができれば、どのような形状を有しても良いが、脚部３２が貫通孔２４ｄに嵌合する方向に垂直な頭部５２の２つの断面の内、脚部３２から近い方の頭部５２の断面は、脚部３２から遠い方の頭部５２の断面よりも小さい大きさを有するのが好ましい。ここで、脚部３２が貫通孔２４ｄに嵌合する方向とは、図７の紙面の上下方向を意味する。即ち、頭部５２は、脚部３２から遠い上部５２ａと脚部３２から近い下部５２ｂの２つの円柱から成る複合形状であり、上部５２ａの直径に対して、下部５２ｂの直径は、小さくなっている。従って、表示体５０の下部５２ｂの横断面の大きさは、上部５２ａの横断面の大きさよりも小さい。なお、上部５２ａには、後述する紐を固定するための貫通した紐孔５４を設けても良い。
【００４３】
表示体の第２変形例は、基本的に以上のように構成される。このような構成とすることで、表示体を確実に取り外すことができるので、本発明の携帯用薬ケース１０は、使いやすい。
【００４４】
次に、本発明の第２実施形態の携帯用薬ケースについて説明する。図８は、本発明の第２実施形態の携帯用薬ケースを示す斜視図である。
【００４５】
本発明の携帯用薬ケース６０は、連結体７０と表示体５０とを有し、連結体７０は、４つの小箱２２から成る。４つの小箱２２のそれぞれは、蓋２４とヒンジ部７２とを有し、蓋２４は、表面に設けられた凹部又は凸部２４ａを有しかつ各小箱２２の開口部を個別に開閉し、ヒンジ部７２は、蓋２４を回動可能に支持する。表示体５０は、４つの小箱２２の内の特定の小箱を示すためのものであり、蓋２４の表面の凹部又は凸部２４ａに少なくとも一部を嵌合させることによって凹部又は凸部２４ａに着脱可能に取り付けられる。
【００４６】
携帯用薬ケース６０は、携帯用薬ケース１０の連結体２０に対して、ヒンジ部７２を有する小箱から成る連結体７０を有する点、及び紐７４を有する点以外は同一の構成を有するものであるので、同一の構成要素の説明を省略する。即ち、連結体７０を構成する小箱及び蓋は、前述の小箱２２及び蓋２４と同一であるので、説明を省略する。
【００４７】
連結体７０は、直方体の形状の４つの小箱２２から成り、各小箱２２は、互いに同じ方向の面に設けられた長方形の開口部２２ｂを有し、各ヒンジ部７２が中央に２つずつ２列に並ぶように連結されても良い。ここで、平面形状の隔壁２２ａに対応する開口部２２ｂの辺は、長方形の長辺でも短辺でも良い。即ち、図８に示すように、連結体７０を構成する４つの小箱２２の形状は、直方体であり、隣接する２つの小箱２２の間の隔壁２２ａは、平面形状であり、各小箱２２は、長方形の開口部２２ｂが互いに同じ方向の面、例えば、紙面の上方向（図８のＺ方向）の面に並びかつ４つのヒンジ部７２が中央に、紙面の左下から右上に向かう方向（図８のＹ方向）に２つずつ、紙面の左上から右下に向かう方向（図８のＸ方向）に間隔を開けて平行に２列に並ぶように連結される。より具体的には、連結体７０は、２つのヒンジ部７２が紙面の左下から右上に向かう方向（図８のＹ方向）に１列に並ぶように２つの小箱２２が連結された２つの中間体７０ａ、７０ｂを、各中間体７０ａ、７０ｂのヒンジ部７２と同じ側の側壁２２ｃ同士が隣接する向きに連結したものである。ヒンジ部７２は、基部７２ａを有し、基部７２ａは、紙面の左下から右上に向かう方向（図８のＹ方向）に１列に並ぶ２つの蓋２４を一体化するものであり、その蓋２４に対応する２つの小箱２２のヒンジ部７２と同じ側の側壁２２ｃに固定される。
このような構成とすることで、携帯時の収納スペースの幅が広くて短尺な場合に便利なので、本発明の携帯用薬ケース６０は、手軽に携帯することができる。
【００４８】
本発明の携帯用薬ケース６０は、さらに、連結体７０に表示体５０を繋ぐための紐７４を有しても有しなくても良いが、有する方が好ましい。即ち、紐７４の一端を連結体７０に固定し、他端を表示体５０に固定しても良い。又は、連結体７０及び表示体５０に貫通した紐孔７６、５４をそれぞれ設け、各紐孔７６、５４を使用して紐７４の両端をそれぞれ固定しても良く、また、各紐孔７６、５４に紐７４を通した後、紐７４の両端を互いに縛り付けてリング状にしても良い。紐７４の材料は、木綿、絹、ポリプロピレン、ナイロン、ゴムなどから成る群から選択される１種であっても良い。紐７４の色は、特に制限的ではなく、例えば、黄色、青色、赤色などに着色されていても良い。なお、紐７４の一端は、連結体７０に限らず、連結体２０に固定しても良い。また、紐７４の他端は、表示体５０に限らず、表示体３０、４０に固定しても良い。即ち、紐７４を使用して、連結体２０、７０に表示体３０、４０、５０内の１つを繋ぐことができる。
このような構成とすることで、表示体の紛失と誤飲を予防できるので、本発明の携帯用薬ケース６０は、安全で使いやすい。
【００４９】
本発明の第２実施形態の携帯用薬ケースは、基本的に以上のように構成される。このような構成とすることで、本発明の携帯用薬ケース６０は、手間を掛けずに薬を取り出すこと及び手軽に携帯することができ、かつ薬を飲み忘れないように手軽に管理することができ、また、従来と同等以上に安全で使いやすく、連結体を低コストで高品質に製造することができる。
【００５０】
次に、本発明の第３実施形態の携帯用薬ケースの一例及びその変形例について説明する。図９は、本発明の第３実施形態の携帯用薬ケースの一例及びその第１〜３変形例を模式的に示す平面図である。
【００５１】
図９（Ａ）の携帯用薬ケース８０ａは、本発明の第３実施形態の携帯用薬ケースの一例であり、複数の連結体２０を有し、各連結体２０は、隣接する２つの連結体２０を互いに着脱可能に結合する結合部８２ａを有しても良い。即ち、３つの連結体２０は、２つの結合部８２ａを介して図９（Ａ）の紙面の下方向（図９（Ａ）のＸ方向）に結合される。携帯用薬ケース８０ａは、携帯用薬ケース１０に対して、３つの連結体２０を有する点、及び携帯用薬ケース１０の連結体２０に対して、各連結体が結合部８２ａを有する点以外は、４つの小箱２２並びに各小箱２２の蓋２４及びヒンジ部２６の寸法が異なるものの、機能上は同一の構成を有するものであるので、同一の構成要素の説明を省略する。
【００５２】
連結体２０は、直方体の形状であり、つまみ２４ｃと同じ方向（図９（Ａ）のＸ方向）の側壁２０ａ及び反対方向（図９（Ａ）のＸ方向の反対方向）の側壁２０ｂを有する。結合部８２ａでは、隣接する一方の連結体２０の側壁２０ａ及び他方の連結体２０の側壁２０ｂが結合されるので、つまみ２４ｃは、全て同じ方向（図９（Ａ）のＸ方向）を向く。なお、連結体２０の結合数は、３つに限定されず、２つでも４つ以上でも良い。また、連結体２０の外形形状は、直方体の形状に限定されず、複数の多角柱又は円柱の連結形状でも良い。
【００５３】
図９（Ｂ）の携帯用薬ケース８０ｂは、本発明の第３実施形態の携帯用薬ケースの第１変形例であり、複数の連結体２０を有し、各連結体２０は、隣接する２つの連結体２０を互いに着脱可能に結合する結合部８２ｂを有しても良い。即ち、２つの連結体２０は、１つの結合部８２ｂを介して図９（Ｂ）の紙面の下方向（図９（Ｂ）のＸ方向）に結合される。携帯用薬ケース８０ｂは、携帯用薬ケース１０に対して、２つの連結体２０を有する点、及び携帯用薬ケース１０の連結体２０に対して、各連結体が結合部８２ｂを有する点以外は、４つの小箱２２並びに各小箱２２の蓋２４及びヒンジ部２６の寸法が異なるものの、機能上は同一の構成を有するものであるので、同一の構成要素の説明を省略する。
【００５４】
結合部８２ｂでは、隣接する連結体２０の側壁２０ｂ同士が結合されるので、つまみ２４ｃは、４つずつ互いに反対方向（図９（Ｂ）のＸ方向及びその反対方向）を向く。なお、図９（Ｂ）の携帯用薬ケース８０ｂでは、８つの側壁２０ｂが全て互いに結合され、余りがないので、連結体２０の結合数は、２つまでである。また、連結体２０の外形形状は、直方体の形状に限定されず、複数の多角柱又は円柱の連結形状でも良い。
【００５５】
図９（Ｃ）の携帯用薬ケース８０ｃは、本発明の第３実施形態の携帯用薬ケースの第２変形例であり、複数の連結体２０を有し、各連結体２０は、隣接する２つの連結体２０を互いに着脱可能に結合する結合部８２ｃを有しても良い。即ち、３つの連結体２０は、２つの結合部８２ｃを介して図９（Ｃ）の紙面の下方向（図９（Ｃ）のＸ方向）に結合される。携帯用薬ケース８０ｃは、携帯用薬ケース１０に対して、３つの連結体２０を有する点、及び携帯用薬ケース１０の連結体２０に対して、各連結体が結合部８２ｃを有する点以外は、４つの小箱２２並びに各小箱２２の蓋２４及びヒンジ部２６の寸法が異なるものの、機能上は同一の構成を有するものであるので、同一の構成要素の説明を省略する。
【００５６】
結合部８２ｃでは、隣接する連結体２０の半分の長さの側壁２０ｂ同士が結合されるので、つまみ２４ｃは、４つと８つが互いに反対方向（図９（Ｃ）のＸ方向及びその反対方向）を向く。なお、連結体２０の結合数は、３つに限定されず、２つでも４つ以上でも良い。また、連結体２０の外形形状は、直方体の形状に限定されず、複数の多角柱又は円柱の連結形状でも良い。
【００５７】
図９（Ｄ）の携帯用薬ケース８０ｄは、本発明の第３実施形態の携帯用薬ケースの第３変形例であり、複数の連結体７０を有し、各連結体７０は、隣接する２つの連結体７０を互いに着脱可能に結合する結合部８２ｄを有しても良い。即ち、３つの連結体７０は、２つの結合部８２ｄを介して図９（Ｄ）の紙面の右方向（図９（Ｄ）のＹ方向）に結合される。携帯用薬ケース８０ｄは、携帯用薬ケース１０に対して、３つの連結体７０を有する点、及び携帯用薬ケース１０の連結体２０に対して、各連結体が結合部８２ｄを有する点以外は、４つの小箱２２並びに各小箱２２の蓋２４及びヒンジ部２６の寸法が異なるものの、機能上は同一の構成を有するものであるので、同一の構成要素の説明を省略する。
【００５８】
連結体７０は、直方体の形状であり、つまみ２４ｃと異なる方向（例えば、図９（Ｄ）のＹ方向）の側壁７０ｃ及びその方向に対向する方向（例えば、図９（Ｄ）のＹ方向の反対方向）の側壁７０ｄを有する。結合部８２ｄでは、隣接する一方の連結体７０の側壁７０ｃ及び他方の連結体７０の側壁７０ｃ又は７０ｄが結合されるので、つまみ２４ｃは、６つずつ互いに反対方向（図９（Ｄ）のＸ方向及びその反対方向）を向く。なお、連結体７０の結合数は、３つに限定されず、２つでも４つ以上でも良い。また、連結体７０の外形形状は、直方体の形状に限定されず、複数の多角柱又は円柱の連結形状でも良い。
【００５９】
このような構成とすることで、本発明の携帯用薬ケース８０ａ〜８０ｄは、４つの小箱のそれぞれに朝、昼、夕、寝る前の各服用分の薬を出張又は旅行の日数分まとめて収納しようとした時に、各小箱が小さすぎて収納できない場合でも、結合した数の小箱に分けて収納することができる。即ち、Ｎ個の連結体を結合すれば小箱の総数及び総容積がＮ倍になるので、朝、昼、夕、寝る前の各服用分の薬をそれぞれＮ個の小箱に分けて収納することができる。
【００６０】
次に、本発明の第３実施形態の携帯用薬ケースの上記一例について具体的に説明する。図１０は、図９（Ａ）の携帯用薬ケースを構成する３つの連結体の内の１つを取り外したものの平面図であり、図１１は、図１０の携帯用薬ケースの線ＢＢによる拡大横断面図である。
【００６１】
図１０、１１の携帯用薬ケース８０ａは、携帯用薬ケース１０に対して、２つの連結体２０を有する点、及び携帯用薬ケース１０の連結体２０に対して、各連結体が結合部８２ａを有する点、携帯用薬ケース１０の表示体３０に対して、形状が異なる表示体１１０、１２０を有する点以外は、４つの小箱２２並びに各小箱２２の蓋２４及びヒンジ部２６の寸法が異なるものの、機能上は同一の構成を有するものであるので、同一の構成要素の説明を省略する。
【００６２】
結合部８２ａは、凸側結合部９０と凹側結合部１００とから成り、凸側結合部９０は、側壁２０ｂに配置され、凹側結合部１００は、側壁２０ａに配置される。そして、複数の連結体２０の内、隣接する２つの連結体２０の内の一方の連結体２０の凸側結合部９０は、互いに各小箱２２の連結方向（図９（Ａ）のＹ方向又はその反対方向）にスライドさせることによって、他方の連結体２０の凹側結合部１００に着脱可能に結合される。即ち、互いに隣接する一方の連結体２０と他方の連結体２０を、図９（Ａ）のＹ方向又はその反対方向に相対的にスライドさせることによって、一方の連結体２０の側壁２０ｂに配置された凸側結合部９０が他方の連結体２０の側壁２０ａに配置された凹側結合部１００に着脱可能に結合される。
このような構成とすることで、小箱２２の数が多いにもかかわらず連結部の数が少なくなるので、本発明の携帯用薬ケース８０ａは、各小箱が小さすぎて収納できない場合でも、連結の手間が少なく、かつ１回の服用分の薬量の増減に対応することが容易である。
【００６３】
次に、連結体同士の結合機構について説明する。
凸側結合部９０は、Ｔ字状の横断面形状を持ち、帯状の平坦な結合板９２と接続部９４とを有し、結合板９２は、側壁２０ｂに対して平行な面内を各小箱２２の連結方向に伸び、接続部９４は、各小箱２２の開口部２２ｂに対して直角な方向（図９（Ａ）の紙面に直角な方向）の結合板９２の中央９２ａと側壁２０ｂとの間を接続する。ここで、各小箱２２の開口部２２ｂは、平坦であり、開口の内縁が同一平面上にある。
【００６４】
即ち、凸側結合部９０を構成する帯状の平坦な結合板９２は、側壁２０ｂに対して平行な面内を図９（Ａ）のＹ方向又はその反対方向に伸び、図９（Ａ）の紙面に直角な方向の中央９２ａと側壁２０ｂとの間は、接続部９４で接続される。結合板９２及び接続部９４は、連結体２０に一体化してもそれぞれ別部品として構成しても良いが、部品数を減らすために連結体２０に一体化するのが好ましい。
【００６５】
凹側結合部１００は、連続したＬ字状の支持部対又は分断されたＬ字状のそれぞれ複数の支持部対を有しても良く、その場合には、支持部対は、帯状の平坦な結合板９２を両側から摺動可能に支持するが、凸側結合部９０と凹側結合部１００との接触面積が小さくなることによって摺動性が良くなるので、分断されたＬ字状のそれぞれ複数の支持部対の方が好ましい。
【００６６】
凹側結合部１００は、Ｌ字状の複数の第１支持部１０２とＬ字状の複数の第２支持部１０４とを有しても良く、その場合には、各第１支持部１０２は、各小箱２２の連結方向に対して平行な第１直線上に配置され、かつ結合板９２の中央９２ａに対して結合板９２の一方の側９２ｂを摺動可能に支持し、各第２支持部１０４は、第１直線に対して平行な第２直線上に配置され、かつ結合板９２の中央９２ａに対して結合板９２の他方の側９２ｃを摺動可能に支持する。
【００６７】
即ち、凹側結合部１００を構成する第１支持部１０２及び第２支持部１０４は、結合板９２の中央９２ａに対して結合板９２の一方の側９２ｂ及び他方の側９２ｃをそれぞれ摺動可能に支持する。そのため、結合板９２がスライドする空間１０６の幅が結合板９２の幅よりも少し広くなるような間隔を開けて、第１支持部１０２及び第２支持部１０４が配置される。第１支持部１０２及び第２支持部１０４は、連結体２０に一体化してもそれぞれ別部品として構成しても良いが、部品数を減らすために連結体２０に一体化するのが好ましい。
【００６８】
連結体同士の結合機構は、上記機構に限定されず、凸側結合部９０及び凹側結合部１００の代わりに凸部及び凹部を側壁２０ａ、２０ｂの表面にそれぞれ設け、凸部及び凹部を互いに嵌合させることによって隣接する２つの連結体２０を互いに着脱可能に結合しても良く、また、凸側結合部９０及び凹側結合部１００の代わりに磁石を側壁２０ａ、２０ｂに配置し、磁石の吸引力によって隣接する２つの連結体２０を互いに着脱可能に結合しても良い。なお、以上のような連結体同士の結合機構を使用して、携帯用薬ケース８０ｂ〜８０ｄの隣接する２つの連結体を互いに着脱可能に結合することができる。
【００６９】
次に、表示体１１０、１２０について説明する。
蓋２４の表面の凹部は、蓋２４の表面に垂直な貫通孔２４ｄであっても良く、その場合には、表示体１１０は、長尺な脚部３２及び頭部１１２を有し、表示体１２０は、長尺な脚部３２及び頭部１２２を有し、長尺な脚部３２は、貫通孔２４ｄに嵌合し、頭部１１２、１２２は、脚部３２の横断面方向の大きさが貫通孔２４ｄよりも大きい。ここで、脚部３２の横断面方向とは、図１１の紙面の左右方向を意味する。表示体１１０は、表示体３０の頭部３４に対して、頭部１１２を有する点以外は同一の構成を有するものであり、表示体１２０は、表示体３０の頭部３４に対して、頭部１２２を有する点以外は同一の構成を有するものであるので、同一の構成要素の説明を省略する。
【００７０】
頭部１１２は、指で把持することができれば、どのような形状を有しても良いが、脚部３２が貫通孔２４ｄに嵌合する方向に垂直な頭部１１２の２つの断面の内、脚部３２から近い方の頭部１１２の断面は、脚部３２から遠い方の頭部１１２の断面よりも小さい大きさを有するのが好ましい。ここで、脚部３２が貫通孔２４ｄに嵌合する方向とは、図１１の紙面の上下方向を意味する。即ち、頭部１１２は、脚部３２から遠い直方体の上部１１２ａと脚部３２から近い円柱の下部１１２ｂから成る複合形状であり、上部１１２ａ直方体に内接する円柱の直径に対して、下部１１２ｂの円柱の直径は、小さくなっている。従って、表示体１１０の下部１１２ｂの横断面の大きさは、上部１１２ａの横断面の大きさよりも小さい。なお、上部１１２ａには、後述する紐を固定するための貫通した紐孔１１４を設けても良い。
【００７１】
同様に、頭部１２２は、脚部３２から近い方の頭部１２２の断面は、脚部３２から遠い方の頭部１２２の断面よりも小さい大きさを有するのが好ましい。即ち、頭部１２２は、脚部３２から遠い上部１２２ａと脚部３２から近い下部１２２ｂの２つの円柱から成る複合形状であり、上部１２２ａの直径に対して、下部１２２ｂの直径は、小さくなっている。従って、表示体１２０の下部１２２ｂの横断面の大きさは、上部１２２ａの横断面の大きさよりも小さい。なお、上部１２２ａには、後述する紐を固定するための貫通した紐孔１２４を設けても良い。
このような構成とすることで、表示体を確実に取り外すことができるので、本発明の携帯用薬ケース８０ａは、使いやすい。
【００７２】
携帯用薬ケース８０ａは、さらに、連結体２０に表示体１１０を繋ぐための紐８４ａ、及び連結体２０に表示体１２０を繋ぐための紐８４ｂを有しても有しなくても良いが、有する方が好ましい。即ち、紐８４ａの一端を連結体２０に固定し、他端を表示体１１０に固定すると共に、紐８４ｂの一端を連結体２０に固定し、他端を表示体１２０に固定しても良い。又は、連結体２０に貫通した紐孔８６ａ、８６ｂを設け、各紐孔８６ａ、１１４を使用して紐８４ａの両端をそれぞれ固定し、各紐孔８６ｂ、１２４を使用して紐８４ｂの両端をそれぞれ固定しても良い。紐８４ａ、８４ｂの材料及び色は、紐７４と同様であるので、説明を省略する。紐８４ａ、８４ｂの一端は、表示体１１０、１２０に限らず、表示体３０、４０、５０内の各１つに固定しても良い。即ち、紐８４ａ、８４ｂを使用して、連結体２０に表示体３０、４０、５０、１１０、１２０内の各１つを繋ぐことができる。なお、以上のような表示体は、特定の小箱を示すために、携帯用薬ケース８０ｂ〜８０ｄの各連結体の小箱２２の蓋２４の表面に着脱可能に取り付けることができる。
このような構成とすることで、表示体の紛失と誤飲を予防できるので、本発明の携帯用薬ケース８０ａは、安全で使いやすい。
【００７３】
本発明の第３実施形態の携帯用薬ケースの一例及びその変形例は、基本的に以上のように構成される。このような構成とすることで、本発明の携帯用薬ケース８０ａ〜８０ｄは、手間を掛けずに薬を取り出すこと及び手軽に携帯することができ、かつ薬を飲み忘れないように手軽に管理することができ、また、従来と同等以上に安全で使いやすく、連結体を低コストで高品質に製造することができる。
【産業上の利用可能性】
【００７４】
本発明の薬ケースは、手間を掛けずに薬を取り出すこと及び手軽に携帯することができ、かつ薬を飲み忘れないように手軽に管理することができるという効果に加え、従来と同等以上に安全で使いやすく、連結体を低コストで高品質に製造することができるという効果があるので、産業上有用である。
【符号の説明】
【００７５】
１０、６０、８０ａ、８０ｂ、８０ｃ、８０ｄ  携帯用薬ケース
２０、７０  連結体
２２  小箱
２２ａ  隔壁
２２ｂ  開口部
２０ａ、２０ｂ、２２ｃ、２２ｄ、７０ｃ、７０ｄ  側壁
２２ｅ  湾曲部
２２ｆ、２４ｂ  係止爪
２４  蓋
２４ａ  凹部又は凸部
２４ｃ  つまみ
２４ｄ  貫通孔
２６、７２  ヒンジ部
２６ａ、７２ａ  基部
３０、４０、５０、１１０、１２０  表示体
３２  脚部
３２ａ  係止部
３４、４２、５２、１１２、１２２  頭部
３４ａ  頭部上面
３４ｂ  頭部下面
４２ａ、５２ａ、１１２ａ、１２２ａ  上部
４２ｂ  中間部
４２ｃ、５２ｂ、１１２ｂ、１２２ｂ  下部
５４、７６、８６ａ、８６ｂ、１１４、１２４  紐孔
７０ａ、７０ｂ  中間体
７４、８４ａ、８４ｂ  紐
８２ａ、８２ｂ、８２ｃ、８２ｄ  結合部
９０  凸側結合部
９２  結合板
９２ａ  中央
９２ｂ  一方の側
９２ｃ  他方の側
９４  接続部
１００  凹側結合部
１０２  第１支持部
１０４  第２支持部
１０６  空間
【図１】
0006620960.tif 000002
【図２】
0006620960.tif 000003
【図３】
0006620960.tif 000004
【図４】
0006620960.tif 000005
【図５】
0006620960.tif 000006
【図６】
0006620960.tif 000007
【図７】
0006620960.tif 000008
【図８】
0006620960.tif 000009
【図９】
0006620960.tif 000010
【図１０】
0006620960.tif 000011
【図１１】
0006620960.tif 000012